(57)【要約】      （修正有）【課題】手袋の甲に着脱自在に装着し、握りこぶしを作ることで、甲にしっかりと固定され、例えば左手に装着すれば左側後方のみならず、少なくとも右側側方も視認可能なバンド付反射鏡を提供する。【解決手段】本バンド付反射鏡１は、三つの矩形面を有する三角柱部材と、上記矩形面のうちの二つの矩形面それぞれに形成された平面鏡Ｍと、該平面鏡が形成された上記二つの矩形面を除く残余の矩形面に固定された締結バンド３とを備えたことを特徴とする。そして、上記締結バンドが固定された上記矩形面は、面積が、手の、親指を除いた４本指の幅と、該４本指の付根から手首までの長さとで形成された面積よりも小さいこと、上記締結バンドが固定された上記矩形面は、弾性部材で覆われていることが好ましい。【選択図】図１
0003173334.tif 000002
【実用新案登録請求の範囲】
【請求項１】
三つの矩形面を有する三角柱部材と、前記矩形面のうちの二つの矩形面それぞれに形成された反射鏡と、前記反射鏡が形成された前記二つの矩形面を除く残余の矩形面に固定された締結バンドと、を備えたことを特徴とするバンド付反射鏡。
【請求項２】
前記締結バンドが固定された前記矩形面は、手の、親指を除いた４本指の幅と、該４本指の付根から手首までの長さとで形成された部位の面積よりも小さいことを備えたことを特徴とする請求項１記載のバンド付反射鏡。
【請求項３】
前記締結バンドが固定された前記矩形面は、弾性部材で覆われていることを特徴とする請求項１又は２記載のバンド付反射鏡。
【請求項４】
前記三角柱部材は、面積が最も大きい第一の矩形面と、第二の矩形面と、面積が最も小さい第三の矩形面とを有し、前記締結バンドは、前記第一の矩形面若しくは前記第二の矩形面に固定されたことを特徴とする請求項１から３のうちの何れか１項記載のバンド付反射鏡。
【請求項５】
鏡面が形成された二つの矩形部材を備え、該鏡面を外側にして山形に接合した該矩形部材それぞれの裏面を前記第一の矩形面及び前記第三の矩形面それぞれ若しくは該第二の矩形面及び該第三の矩形面それぞれに固定することにより前記反射鏡が形成されることを特徴とする請求項４記載のバンド付反射鏡。
【請求項６】
前記反射鏡は、前記第一の矩形面及び前記第三の矩形面それぞれに若しくは該第二の矩形面及び該第三の矩形面それぞれに成膜されることにより形成されることを特徴とする請求項４記載のバンド付反射鏡。
【請求項７】
前記第三の矩形面に形成された反射鏡は、凸面鏡であることを特徴とする請求項５記載のバンド付反射鏡。
【請求項８】
前記締結バンドは、両端に、係合自在な係止部材が固設された伸縮自在なものであって、
前記第三の矩形面に固定された反射鏡を指先側に向け、前記弾性部材を手の甲に当接させて、前記バンドの係止部材を手掌側で係合させることにより装着されることを特徴とする請求項４から７のうちの何れか１項記載のバンド付反射鏡。
【考案の詳細な説明】
【技術分野】
【０００１】
本考案は、手に装着し、後方及び側方を視認することができるバンド付反射鏡に関するものである。
【背景技術】
【０００２】
従来から、山岳地域や平坦地域など高低差のある起伏に富んだコースを数名編成のチームで走りぬき、タイムを競うツールドフランスなどの自転車レースが世界各地で行われている。一般に、自転車やバイクなどには、後方確認のために、ハンドルの近傍にバックミラーを装備することが可能である。しかしながら、ロードレーサなどの競技用自転車は、ドロップハンドルで、ハンドルの高さはサドルよりも低くなっているうえ、高速走行を可能にするため、全重量が、１０ｋｇ〜８ｋｇ程度まで軽量化されている。従って、それら競技用自転車に、バックミラーを装備することは現実的ではない。
一方、バックミラーを固定できる手段のない、スノーボード、スキー等においても滑走中に後方あるいは側方の滑走者を確認し、衝突を未然に防止する必要がある。そこで、スポーツ用手袋の手首部分に巻き付けるミラー付きのバンドが提案されている（特許文献１参照）。
他方、３０００ｋｍ以上を２７日間かけて競うツールドフランスや、水泳（３．８Ｋｍ）、バイク（１８０Ｋｍ）、フルマラソン（４２．１９５Ｋｍ）といった３種目を競う長距離トライアスロンなどにおいては、自転車の長距離走行を行うと手に痛みや麻痺を生じることなどから、厚い材質の振動吸収材やエアクッションなどが配置された手袋を装着している。しかし、クッション等が配置されていると、山坂を走行する手に力が入りにくい。そこで手袋の掌部にクッションを着脱自在に結合すると共に、手首部側にミラー装着面があり、三角形を呈するように山折りできるミラーシートを手の甲部に結合させる多機能手袋が提案されている（特許文献２参照）。
【先行技術文献】
【特許文献】
【０００３】
【特許文献１】特開２００６−１９８０９２号公報
【特許文献２】実用新案登録第３１６１１９６号公報
【考案の概要】
【考案が解決しようとする課題】
【０００４】
しかしながら、特許文献１及び特許文献２で提案されているミラーは、反射面が単一で、右手又は左手に装着したとき、右側後方又は左側後方の何れか一方を視認することはできても、それとは反対側の後方等を視認するのは困難である。
本考案は上記事情に鑑み、手袋の甲に着脱自在に装着し、握りこぶしを作ることで、甲にしっかりと固定され、例えば左手に装着すれば左側後方のみならず、少なくとも右側側方をも視認可能なバンド付反射鏡を提供することを目的とする。
【課題を解決するための手段】
【０００５】
本考案のバンド付反射鏡は、三つの矩形面を有する三角柱部材と、上記矩形面のうちの二つの矩形面それぞれに形成された反射鏡と、上記反射鏡が形成された上記二つの矩形面を除く残余の矩形面に固定された締結バンドと、を備えたことを特徴とする。
そして、上記締結バンドが固定された上記矩形面は、手の、親指を除いた４本指の幅と、該４本指の付根から手首までの長さとで形成された部位の面積よりも小さいこと、上記締結バンドが固定された上記矩形面は、弾性部材で覆われていることが好ましい。
このように、三角柱部材の異なる矩形面に形成された２つの反射鏡が、締結バンドによって着脱自在に手の甲の範囲内に、手の動きが抑制されることなく装着可能なので、例えば自転車を走行する人の左手に装着すれば手の角度を変えることで左側後方のみならず、少なくとも右側側方をも視認することが可能になる。
また、上記三角柱部材は、面積が最も大きい第一の矩形面と、面積が最も小さい第三の矩形面と、面積が中間の第二の矩形面とを有し、上記締結バンドは、上記第一の矩形面若しくは上記第二の矩形面に固定されることが好ましい。
このように、上記締結バンドを比較的面積の大きい面に固定すれば、手に装着した時の安定性がよく、かつ比較的大きな鏡面を形成することができる。
さらに鏡面が形成された二つの矩形部材を備え、該鏡面を外側にして山形に接合した該矩形部材それぞれの裏面を上記第一の矩形面及び上記第三の矩形面それぞれ若しくは該第二の矩形面及び該第三の矩形面それぞれに固定したことにより上記反射鏡が形成されることも、上記反射鏡は、上記第一の矩形面及び上記第三の矩形面それぞれに若しくは該第二の矩形面及び該第三の矩形面それぞれに成膜されることにより形成されたことも好ましく、上記第三の矩形面に形成された反射鏡は、凸面鏡であることも好ましい。
このように、反射鏡は、予め作成された平面鏡や凸面鏡を三角柱部材に貼り付けてもよいし、三角柱部材の二つの矩形面に銀などをメッキしたり、蒸着することにより形成してもよい。
また、上記締結バンドは、両端に、係合自在な係止部材が固設された伸縮自在なものであって、上記第三の矩形面に固定された反射鏡を指先側に向け、上記弾性部材を手の甲に当接させて、上記バンドの係止部材を手掌で係合させることにより装着されることが好ましい。
このようにすれば、手にフィットするうえ、例えば左手に装着すれば左側後方のみならず、少なくとも右側側方をも視認することが可能になる。
【考案の効果】
【０００６】
本考案のバンド付反射鏡によれば、手に簡単に装着できる上、三角柱部材の２つの矩形面に異なる角度で形成された２つの反射鏡により、例えば自転車の走行中に後方を振り向くことなく、装着した手を動かすことで、一定範囲の左右の側方ないしは後方を視認することができる。
【図面の簡単な説明】
【０００７】
【図１】図１は、第１の実施形態のバンド付反射鏡を示す平面図である。
【図２】図２は、第１の実施形態のバンド付反射鏡を示す底面図である。
【図３】図３は、第１の実施形態のバンド付反射鏡を示す側面図である。
【図４】図４は、平面鏡が形成された矩形部材の正面図及び平面図である。
【図５】図５は、凸面鏡が形成された矩形部材の正面図及び平面図である。
【図６】図６は、本実施形態のバンド付反射鏡の使用例を示す図である。
【図７】図７は、第２の実施形態のバンド付反射鏡を示す平面図である。
【図８】図８は、第２の実施形態のバンド付反射鏡を示す底面図である。
【図９】図９は、第２の実施形態のバンド付反射鏡を示す側面図である。
【考案を実施するための形態】
【０００８】
以下に本考案の実施形態について説明する。
［第一の実施形態］
図１〜図３は、第１の実施形態のバンド付反射鏡を示す図であり、図１は、平面図、図２は底面図、図３は側面図である。
図１〜図３に示すように、第１の実施形態のバンド付反射鏡１は、３つの矩形面を持った三角柱部材２と、その三角柱部材２の一つの矩形面に固定された締結バンド３と、その締結バンド３が固定された矩形面を覆うクッション（本考案の弾性部材に相当する。）５と、三角柱部材２の矩形面のうち、締結バンド３が固定された矩形面以外の二つの矩形面それぞれに固定され、反射鏡（平面鏡Ｍ及び凸面鏡Ｎ）が形成された二つの矩形部材６とを備えている。
三角柱部材２は、面積が最も大きい第一の矩形面２ａと、次に面積が大きい第二の矩形面２ｂと、面積が最も小さい第三の矩形面２ｃとを有する中空のプラスチック部材である。ただし、必ずしもプラスチック製のものである必要はなく、木製のものでも、アルミニウムやステンレスなどの金属製のものでもよく、また内部が充実したものであってもよい。
締結バンド３は、布・革・合成皮革・合成ゴム・プラスチックなどの素材を帯状に加工したものであって、三角柱部材２の第二の矩形面２ｂに、三角柱部材２の長さ方向に固定されており、両端に雌雄の面ファスナー（本発明の係止部材に相当する。）７ａ，７ｂが設けられている。そして、雌雄の面ファスナー７ａ，７ｂを手掌側で係合させることにより、手袋をはめた手の甲にバンド付反射鏡１を固定することができる。なお、本実施形態の締結バンド３は、手にしっかりとフィットさせるために、素材として伸縮自在な合成ゴムを用いているが、必ずしもこれに限定されない。
ここで、締結バンド３が固定される矩形面は、手の、親指を除いた４本指の幅と、その４本指の付根から手首までの長さとで形成された部位の面積よりも小さくなるように、三角柱部材の大きさが調整されている。従って、第二の矩形面２ｂに締結バンド３を固定すれば、第一の矩形面２ａに締結バンド３を固定する場合よりも、三角柱部材２の大きさを大きくすることが可能となり、バンド付反射鏡１全体のサイズを大きくすることができる。なお、締結バンド３は、単一部材で構成する必要はなく、三角柱部材２にしっかりと固定され、かつ両端相互を手掌側で係合できる長さを有するものであれば、第二の矩形面２ｂの両側でそれぞれ別個に固定する二つの帯状部材とすることができる。また、本実施形態の締結バンド３は、三角柱部材２の、第二の矩形面２ｂに固定されているが、第一の矩形面２ａ又は第三の矩形面２ｃに固定してもよい。さらに、本実施形態の締結バンド３は、両端に雌雄の面ファスナー７ａ，７ｂが設置されているが、係止部材は、必ずしも面ファスナーである必要はなく、例えば雌雄のホックであっても、突起部材とその突起部材が貫通する穴であってもよい。
クッション５は、締結バンド３が固定された矩形面全体を覆う大きさの、例えばウレタンやスポンジを素材とするもので、本実施形態のバンド付反射鏡１を手に装着して、握りこぶしを作ったり、握りこぶしを開いたりする手の動きが制約されないよう、手の動きに合わせて伸縮する部材が用いられる。
【０００９】
図４及び図５は、鏡面が形成された矩形部材の正面図及び平面図であり、図４は、平面鏡が形成された矩形部材を示し、図５は、凸面鏡が形成された矩形部材を示す。
図４及び図５に示すように、矩形部材６は、図１〜図３に示す三角柱部材２の第一の矩形面２ａと同寸で、片方の面に平面鏡Ｍが形成された第一矩形部材６ａと、第三の矩形面２ｃと同寸で、片方の面に凸面鏡Ｎが形成された第二矩形部材６ｂとを有する。素材は、アクリル樹脂やポリカーボネートなどのプラスチック、あるいはアルミニウムやステンレスなどが用いられ、平面鏡Ｍ及び凸面鏡Ｎの鏡面は、それらの素材に金属をメッキ又は蒸着して金属膜を成膜することにより形成される。第一矩形部材６ａと第二矩形部材６ｂとを鏡面を外側にして山形に接合し、裏面を三角柱部材２の第一の矩形面２ａと第三の矩形面２ｃとに接着剤で貼り合わせることにより反射鏡（平面鏡Ｍ及び凸面鏡Ｎ）を形成する。
【００１０】
図６は、本実施形態のバンド付反射鏡の使用例を示す図である。
図６に示すように、本実施形態のバンド付反射鏡１は、第二の矩形面２ｂが、手の、親指を除いた４本指の幅と、その４本指の付根から手首までの長さとで形成された部位の面積よりも小さくなっている。従って、本実施形態のバンド付反射鏡１を例えば左手にはめた手袋に装着するときは、三角柱部材２の面積が最も小さい、凸面鏡Ｎが形成された第三の矩形面２ｃを指先側に向けて配置し、クッションで覆われた図に現れない第二の矩形面２ｂを手袋の甲に当てる。そして、締結バンド３の先端を小指側と人差し指側とから、図に現れない掌側に廻して、先端の雌雄の面ファスナー７ａ，７ｂ相互を係合させて固定する。
ここで、本実施形態の反射鏡には、平面鏡Ｍと凸面鏡Ｎとを用いているが、必ずしも凸面鏡Ｎを用いる必要はなく、２つの反射鏡とも、平面鏡Ｍであってもよい。また、締結バンド３の先端に、雌雄の面ファスナー７ａ，７ｂを設けているが、係止部材は、必ずしも雌雄の面ファスナー７ａ，７ｂである必要はなく、雌雄のホックであっても、突起部材とその突起部材が貫通する穴であってもよい。
さらに、本実施形態のバンド付反射鏡１は、面積が最も大きい第一の矩形面２ａと面積が最も小さい第三の矩形面２ｃに反射鏡を形成しているが、第二の矩形面と第三の矩形面に反射鏡を形成し、面積が最も大きい第一の矩形面にバンドを固定し、その第一の矩形面を手の甲に当てるようにしてもよい。
【００１１】
［第二の実施形態］
第二の実施形態のバンド付反射鏡１１は、第一の実施形態のバンド付反射鏡１と比べて、反射鏡が三角柱部材２の矩形面に直接形成され、締結バンド３は、両端にホックが設けてある点は相違するが、それ以外は共通する。従って相違する点についてのみ以下に説明する。
図７〜図９は、第２の実施形態のバンド付反射鏡を示す図であり、図７は、平面図、図８は底面図、図９は側面図である。
図７〜図９に示すように、第２の実施形態のバンド付反射鏡１１は、３つの矩形面を持ち、２つの矩形面に鏡面が形成された三角柱部材１２と、その三角柱部材１２の一つの矩形面に固定された締結バンド１３と、その締結バンド１３が固定された矩形面を覆うクッション（本考案の弾性部材に相当する。）５と、を備えている。
三角柱部材１２は、面積が最も大きい第一の矩形面１２ａと、次に面積が大きい第二の矩形面１２ｂと、面積が最も小さい第三の矩形面１２ｃとを有する中空のプラスチック部材である。
このプラスチック部材には、塩化第一スズの水溶液で増感処理を施し、例えば硝酸銀にアンモニア水を加えた銀液と還元液とを混ぜて撹拌した溶液中に浸して銀メッキを施すことで平面鏡Ｍの鏡面が形成されている。ただし、必ずしもプラスチック製のものである必要はなく、ステンレスやアルミニウム製のものに銀を蒸着して鏡面を形成してもよい。
締結バンド１３は、三角柱部材１２の第一の矩形面１２ａに、三角柱部材１２の長さ方向に固定されており、両端に雌雄のホック１４ａ，１４ｂが設けられている。そして、雌雄のホック１４ａ，１４ｂを手掌側で係合させることにより、手袋をはいた手の甲にバンド付反射鏡１１を固定することができる。ここで、本実施形態の締結バンド１３は、三角柱部材１２の、第一の矩形面１２ａに固定されているが、第二の矩形面１２ｂ又は第三の矩形面１２ｃに固定してもよい。さらに、本実施形態の締結バンド１３は、両端に雌雄のホック１４ａ，１４ｂを設けているが、係止部材は、必ずしも雌雄のホック１４ａ，１４ｂである必要はなく、例えば雌雄の面ファスナーであっても、突起部材とその突起部材が貫通する穴であってもよい。
クッション５は、締結バンド１３が固定された矩形面全体を覆う大きさのウレタンやスポンジ製のものが用いられる。
【産業上の利用可能性】
【００１２】
本考案のバンド付反射鏡は、自転車競技、モトクロス、スキー、スノーボードなどにおける後方視認用として活用できる。
【符号の説明】
【００１３】
１，１１    バンド付反射鏡
２，１２    三角柱部材
２ａ，１２ａ  第一の矩形面
２ｂ，１２ｂ  第二の矩形面
２ｃ，１２ｃ  第三の矩形面
３，１３    締結バンド
５          クッション
６          矩形部材
６ａ        第一矩形部材
６ｂ        第二矩形部材
７ａ，７ｂ  雌雄の面ファスナ
１４ａ，１４ｂ  雌雄のホック
Ｍ          平面鏡
Ｎ          凸面鏡
【図１】
0003173334.tif 000003
【図２】
0003173334.tif 000004
【図３】
0003173334.tif 000005
【図４】
0003173334.tif 000006
【図５】
0003173334.tif 000007
【図６】
0003173334.tif 000008
【図７】
0003173334.tif 000009
【図８】
0003173334.tif 000010
【図９】
0003173334.tif 000011